(57)【要約】【課題】コンセント本体の端子差込孔を開閉するキャップの取付けが、使用部品点数少なく、組立て工数も少なくできるようにする。【解決手段】コンセント本体１にガイド溝７を形成し、キャップ８に被ガイド突起１２を形成して、それらを摺動可能に嵌合させることによりキャップ８をコンセント本体１に回動可能に取付け、その回動によってキャップ８がコンセント本体１の端子差込孔を開閉するようにした。これにより、キャップ８を、従来のもののような鋲及びワッシャを使用せずに、コンセント本体１に取付けることができる。【選択図】  図１
2004185908.tif 000002
【特許請求の範囲】
【請求項１】
端子差込孔を有するコンセント本体と、このコンセント本体の前記端子差込孔を開閉するキャップとを具備し、
そのコンセント本体とキャップとのいずれか一方にガイド溝を形成し、他方にそれと対応する被ガイド突起を形成して、それらを摺動可能に嵌合させることにより前記キャップを前記コンセント本体に回動可能に取付け、その回動によって前記キャップが前記端子差込孔を開閉するようにしたことを特徴とするコンセント。
【請求項２】
ガイド溝が、その長手方向の一端で被ガイド突起と衝接することによりキャップを全開位置に規制し、他端で被ガイド突起と衝接することによりキャップを全閉位置に規制することを特徴とする請求項１記載のコンセント。
【発明の詳細な説明】
【０００１】
【発明の属する技術分野】
本発明は、コンセント本体の端子差込孔を開閉するキャップを具えたコンセントに関する。
【０００２】
【従来の技術】
従来より、たとえば電源コードの先端部に設けられるコンセントにおいては、コンセント本体に差込プラグの端子を差し込むべく具えられた端子差込孔に、ほこりや水その他の異物が入るのを防止するために、その端子差込孔を開閉するキャップを具えたものが供されている。
【０００３】
しかして、従来のものおけるそのキャップは、コンセント本体に打ち込まれた鋲によりワッシャを介して回動可能に取付けられ、その鋲を中心軸とした回動によって上記端子差込孔を開閉するようになっている（例えば、特許文献１参照）。
【０００４】
【特許文献１】
特開平６−５２９２６号公報（図１）
【０００５】
【発明が解決しようとする課題】
しかしながら、上述の、キャップを鋲及びワッシャを介してコンセント本体に取付けたものは、使用部品点数が多く、組立て工数も多くかかることで、コストが高くつくという問題点を有していた。
【０００６】
本発明は上述の事情に鑑みてなされたものであり、従ってその目的は、コンセント本体の端子差込孔を開閉するキャップの取付けが、使用部品点数少なく、組立て工数も少なくできて、コストの低廉化ができるコンセントを提供するにある。
【０００７】
【課題を解決するための手段】
上記目的を達成するために、本発明のコンセントは、端子差込孔を有するコンセント本体と、このコンセント本体の前記端子差込孔を開閉するキャップとのいずれか一方にガイド溝を形成し、他方にそれと対応する被ガイド突起を形成して、それらを摺動可能に嵌合させることによりキャップをコンセント本体に回動可能に取付け、その回動によってキャップが端子差込孔を開閉するようにしたことを特徴とする。
【０００８】
このものによれば、キャップは、それとコンセント本体とのいずれか一方に形成したガイド溝と、他方に形成した被ガイド突起とを嵌合させることにより、コンセント本体にこれの端子差込孔を開閉すべく取付けられるもので、従来のもののような鋲及びワッシャを使用せずに取付けることができる。
【０００９】
この場合、ガイド溝は、その長手方向の一端で被ガイド突起と衝接することによりキャップを全開位置に規制し、他端で被ガイド突起と衝接することによりキャップを全閉位置に規制するものであることが好ましい。
【００１０】
このものでは、キャップをガイド溝の長手方向の一端と被ガイド突起とが衝接するまで回動させることで全開位置にでき、ガイド溝の長手方向の他端と被ガイド突起とが衝接するまで回動させることで全閉位置にできるので、その全開位置及び全閉位置にすることが容易にできる。
【００１１】
【発明の実施の形態】
以下、本発明の一実施例につき、図面を参照して説明する。
まず、図１及び図２に示すコンセント本体１は、電源コード２の先端部に設けている。このコンセント本体１は、外殻を電気絶縁材であるプラスチックにより作製したものであり、電源コード２の延長方向と、交差する方向の、計３箇所にそれぞれ凸状の単位コンセント部３を有している。
【００１２】
各単位コンセント部３は、図２に示すように、それぞれ先端部が円形状を成すものであり、その端面にそれぞれ端子差込孔４，５，６を形成している。このうち、端子差込孔４，５は、周知の差込プラグ（図示せず）の一対の差込端子を差し込むためのもので、端子差込孔６は、アース端子（これも図示せず）を差し込むためのものである。
【００１３】
そして又、各単位コンセント部３の先端部の外周には、ガイド溝７をそれぞれ円弧状にて図３及び図４に示すように２条ずつ形成している。この場合、各２条のガイド溝７は、単位コンセント部３の端面からの位置を同じくして、互いに延長上の位置を占めている。
【００１４】
これに対して、キャップ８は、プラスチックにより、上記コンセント本体１の単位コンセント部３の先端部にほとんど隙間なく被さる大きさの有蓋短円筒形に形成したものであり、単位コンセント部３の個数に合わせて３個存在している。又、このキャップ８は、単位コンセント部３の前記端子差込孔４，５，６に位置及び大きさを合わせて、それぞれ端子挿通孔９，１０，１１を有しており、その端子挿通孔９，１０は前記差込プラグの一対の差込端子を挿通するため、端子挿通孔１１はアース端子を挿通するためのものである。
【００１５】
しかして、このキャップ８の各周側壁部８ａの内側には、それぞれ被ガイド突起１２を２個ずつ形成している。この被ガイド突起１２は、前記ガイド溝７とそれぞれ対応するものであり、これをそのガイド溝７に嵌合させてキャップ８をそれぞれコンセント本体１の単位コンセント部３の先端部に被せ取付けている。
【００１６】
さて、上述のごとく構成したコンセントにおいては、キャップ８をつかんで回すと、被ガイド突起１２がガイド溝７をその長手方向に摺動する。従って、被ガイド突起１２はガイド溝７に摺動可能に嵌合されており、この摺動によりキャップ８がコンセント本体１の単位コンセント部３の先端部で回動する。
【００１７】
そして、その回動により、キャップ８は、図３に示すように、端子挿通孔９〜１１が単位コンセント部３の端子差込孔４〜６に合った全開位置から、図４に示すように、端子挿通孔９〜１１が単位コンセント部３の端子差込孔４〜６に合わない全閉位置へ、あるいはその逆へと変化し、かくして、単位コンセント部３の端子差込孔４〜６を開閉する。
【００１８】
特に、本構成のものの場合、キャップ８は、被ガイド突起１２がガイド溝７の長手方向の一端７ａに衝接したところで全開位置に規制され（図３）、他端７ｂに衝接したところで全閉位置に規制される（図４）。
【００１９】
このように本構成のものでは、キャップ８がコンセント本体１の単位コンセント部３の先端部で回動されることにより、端子差込孔４〜６を開閉するのであるが、そのキャップ８の取付けは、キャップ８に形成した被ガイド突起１２を、コンセント本体１に形成したガイド溝７に嵌合させることにより実現されるもので、従来のもののような鋲及びワッシャを必要としない。従って、従来のものより、使用部品点数が少なく、組立て工数も少なくできて、コストの低廉化を達成することができる。
【００２０】
又、本構成のものの場合、キャップ８を、被ガイド突起１２がガイド溝７の長手方向の一端７ａに衝接するまで回動させることで全開位置にでき、被ガイド突起１２がガイド溝７の長手方向の他端７ｂに衝接するまで回動させることで全閉位置にできるので、その全開位置及び全閉位置にすることが容易にできる。
【００２１】
なお、ガイド溝７と被ガイド突起１２は、上述とは反対に、ガイド溝７をキャップ８に形成し、被ガイド突起１２をコンセント本体１に形成して実施するようにしても良い。
又、コンセント本体１は、端子差込孔４〜６のうち、端子差込孔４，５のみを有し、端子差込孔６を有さないものであっても良いものもで、それに合わせ、キャップ８も、端子挿通孔９，１０のみを有し、端子挿通孔１１を有さないものであっても良い。
【００２２】
更に、コンセント本体１は、端子差込孔４〜６を上述の３組より多く、又は少なく、特には１組のみ有するものであっても良い。
加えて、コンセント本体１は、電源コード２の先端部に設けられるのではなく、壁等に据付けて設けられるものであっても良い。
そのほか、本発明は上記し且つ図面に示した実施例にのみ限定されるものではなく、要旨を逸脱しない範囲内で適宜変更して実施し得る。
【００２３】
【発明の効果】
以上説明したように、本発明のコンセントによれば、コンセント本体の端子差込孔を開閉するキャップの取付けが、コンセント本体とキャップとのいずれか一方に形成したガイド溝と、他方に形成した被ガイド突起との嵌合により実現できるので、使用部品点数を少なく、組立て工数も少なくできて、コストの低廉化ができるという著効が得られる。
【図面の簡単な説明】
【図１】本発明の一実施例を示す全体の縦断面図
【図２】全体の、コンセント本体とキャップとについての分解斜視図
【図３】１組の端子差込孔部分の全開状態における平面図
【図４】同部分の全閉状態における平面図
【符号の説明】
１はコンセント本体、４〜６は端子差込孔、７はガイド溝、７ａはガイド溝の一端、７ｂはガイド溝の他端、８はキャップ、１２は被ガイド突起を示す。
【図１】
2004185908.tif 000003
【図２】
2004185908.tif 000004
【図３】
2004185908.tif 000005
【図４】
2004185908.tif 000006